(57)【要約】      （修正有）【課題】ポケットに収納した小物を視認不能にできるウォールポケットを提供する。【解決手段】基礎シート１と、軸部材２１を有するシート保持具２と、基礎シートの前面１Ａに設けられたポケット５、７、８と、基礎シートの前面及び各ポケットを覆って基礎シートの下端１ｂ及び軸部材２１間に渡って設けられるブラインドシート１０とでウォールポケットを構成する。軸部材２１は、収納空間ＫＰを隔てて基礎シート前面の上端１ａ側に配置される。シート保持具２は、軸部材を基礎シートに固定する。ブラインドシートの上端１０ａ側は、軸部材の軸心線周りに回転自在に取付けられる。【選択図】図１
0003200759.tif 000002
【実用新案登録請求の範囲】
【請求項１】
基礎シートと、
前記基礎シートの前面に空間を隔てて前記基礎シートの上端側に配置される軸部材を有し、前記軸部材の軸心線を前記基礎シートの前面に並設して、前記基礎シートに前記軸部材を固定するシート保持具と、
前記基礎シートの前面に設けられ、前記基礎シートの下端及び前記軸部材間に配置されるポケットと、
前記基礎シートの前面及び前記ポケットを覆って前記基礎シートの下端及び前記軸部材間にわたって設けられ、前記基礎シートの前面に空間を隔てて配置されるブラインドシートと、を備え、
前記ブラインドシートにおいて、
前記軸部材側に位置する上端側は、
前記軸心線周りに回転自在として前記軸部材に取付けられる
ことを特徴とするウォールポケット。
【請求項２】
前記ブラインドシートは、
可撓性を有し、下端から前記軸部材に向けて巻取り又は巻戻し自在とされ、
前記軸部材は、
前記基礎シートの前面に、巻取った前記ブラインドシートを収容する収容空間を隔てて配置され、
前記シート保持具は、
前記軸部材の軸心線方向に間隔を隔てて配置され、巻取った前記ブラインドシートを保持する複数の保持部材を有し、及び前記基礎シートに前記各保持部材を固定し、
前記各保持部材は、
前記収容空間にて、前記基礎シートの前面及び前記軸部材間に配置され、前記基礎シートの下端側に湾曲又は屈曲して突出する
ことを特徴とする請求項１に記載のウォールポケット。
【請求項３】
前記ブラインドシートは、
可撓性を有し、下端から前記軸部材に向けて巻取り又は巻戻し自在とされ、
前記軸部材は、
前記基礎シートの前面に、巻取った前記ブラインドシートを収容する収容空間を隔てて配置され、
前記シート保持具は、
前記軸部材の軸心線方向に間隔を隔てて配置され、巻取った前記ブラインドシートを保持する複数の保持部材と、
前記基礎シートに取付けられる取付部材と、を有し、
前記各保持部材は、
前記収容空間にて、前記基礎シートの前面及び前記軸部材間に配置され、前記軸部材から前記基礎シートの下端側に湾曲又は屈曲して突出し、
前記各保持部材において、
湾曲又は屈曲して突出する一端は、前記軸部材に連結され、
前記各保持部材において、
湾曲又は屈曲して突出する他端は、前記取付部材に連結される
ことを特徴とする請求項１に記載のウォールポケット。
【請求項４】
前記ブラインドシートを巻取る巻取軸部材を備え、
前記巻取軸部材は、
当該巻取軸部材の軸心線を前記軸部材の軸心線に並設して、前記ブラインドシートの下端側に取付けられる
ことを特徴とする請求項２又は請求項３に記載のウォールポケット。
【考案の詳細な説明】
【技術分野】
【０００１】
本考案は、室内等の壁に掛けられ、小物をポケットに収納するウォールポケットに関する。
【背景技術】
【０００２】
ウォールポケットとして、特許文献１は、壁掛け小物入れを開示する。特許文献１の壁掛け小物入れは、基本生地前面に複数のポケットを有する。壁掛け小物入れは、基本生地裏面を室内等の壁に対峙し、室内等の壁に掛けられる。小物は、各ポケットに収納する。
【先行技術文献】
【特許文献】
【０００３】
【特許文献１】実開昭６２−２７０７７号公報
【考案の概要】
【考案が解決しようとする課題】
【０００４】
しかし、特許文献１の壁掛け小物入れは、基本生地前面を開放しているので、各ポットに収納した小物は室内等で舞う塵埃の影響を受け、塵埃は小物に付着し、及び各ポケット内に入るという問題がある。
また、特許文献１では、基本生地前面を開放しているので、各ポケットに収納した小物を外来者等に視認されるという問題がある。
【０００５】
本考案は、室内等に舞う塵埃の影響を抑制し、各ポケットに収納した小物を視認不能にできるウォールポケットを提供することにある。
【課題を解決するための手段】
【０００６】
本考案に係る請求項１は、基礎シートと、前記基礎シートの前面に空間を隔てて前記基礎シートの上端側に配置される軸部材を有し、前記軸部材の軸心線を前記基礎シートの前面に並設して、前記基礎シートに前記軸部材を固定するシート保持具と、前記基礎シートの前面に設けられ、前記基礎シートの下端及び前記軸部材間に配置されるポケットと、前記基礎シートの前面及び前記ポケットを覆って前記基礎シートの下端及び前記軸部材間にわたって設けられ、前記基礎シートの前面に空間を隔てて配置されるブラインドシートと、を備え、前記ブラインドシートにおいて、前記軸部材側に位置する上端側は、前記軸心線周りに回転自在として前記軸部材に取付けられることを特徴とするウォールポケットである。
請求項１では、軸部材は、基礎シートの左右端間にわたって延在（配置）する構成も採用できる。
【０００７】
本考案に係る請求項２は、前記ブラインドシートは、可撓性を有し、下端から前記軸部材に向けて巻取り又は巻戻し自在とされ、前記軸部材は、前記基礎シートの前面に、巻取った前記ブラインドシートを収容する収容空間を隔てて配置され、前記シート保持具は、前記軸部材の軸心線方向に間隔を隔てて配置され、巻取った前記ブラインドシートを保持する複数の保持部材を有し、及び前記基礎シートに前記各保持部材を固定し、前記各保持部材は、前記収容空間にて、前記基礎シートの前面及び前記軸部材間に配置され、前記基礎シートの下端側に湾曲又は屈曲して突出することを特徴とする請求項１に記載のウォールポケットである。
請求項２において、収容空間は、巻取ったブラインドシートの巻取径と同等又は広い空間とする構成も採用できる。
【０００８】
本考案に係る請求項３は、前記ブラインドシートは、可撓性を有し、下端から前記軸部材に向けて巻取り又は巻戻し自在とされ、前記軸部材は、前記基礎シートの前面に、巻取った前記ブラインドシートを収容する収容空間を隔てて配置され、前記シート保持具は、前記軸部材の軸心方向に間隔を隔てて配置され、巻取った前記ブラインドシートを保持する複数の保持部材と、前記基礎シートに取付けられる取付部材と、を有し、前記各保持部材は、前記収容空間にて、前記基礎シートの前面及び前記軸部材間に配置され、前記軸部材から前記基礎シートの下端側に向けて湾曲又は屈曲して突出し、前記各保持部材において、湾曲又は屈曲して突出する一端は、前記軸部材に連結され、前記各保持部材において、湾曲又は屈曲して突出する他端は、前記取付部材に連結されることを特徴とする請求項１に記載のウォールポケットである。
請求項３において、湾曲又は屈曲して突出する一端は、基礎シートの前面及び軸部材の軸心線に交差（直交）する方向（以下、「前後方向」という）において、軸部材側に位置する一端であり、湾曲又は屈曲して突出する他端は、前後方向において、基礎シートの前面側に位置する他端である。
請求項３において、収容空間は、巻取ったブラインドシートの巻取径と同等又は広い空間とする構成も採用できる。
請求項３では、取付部材は、取付軸部材として、基礎シートの左右端間にわたって延在（配置）する構成も採用できる。
請求項３では、各保持部材は、前後方向において、基礎シートの前面及び軸部材間に配置する構成も採用できる。
請求項３では、軸部材は、ブラインドシートの左右端間にわたって延在（配置）され、シート保持具は、一対（左右一対）の保持部材を有し、各保持部材は、軸部材の軸心線に直交する方向（前後方向）において、基礎シートの前面及び軸部材間に配置され、更に一方の保持部材において、湾曲又は屈曲して突出する一端は、軸部材の一方の軸端側に連結し、他方の保持部材において、湾曲又は屈曲して突出する他端は、軸部材の他方の軸端側に連結する構成も採用できる
【０００９】
本考案に係る請求項４は、前記ブラインドシートを巻取る巻取軸部材を備え、前記巻取軸部材は、当該巻取軸部材の軸心線を前記軸部材の軸心線に並設して、前記ブラインドシートの下端側に取付けられることを特徴とする請求項２又は請求項３に記載のウォールポケットである。
請求項４では、巻取軸部材は、ブラインドシートの左右端間にわたって延在される構成も採用できる。
【考案の効果】
【００１０】
本考案に係る請求項１では、ブラインドシートは、基礎シートの前面及び各ポケットを覆うので、室内等に舞う塵埃は、ブラインドシートで遮断される。
これにより、室内に舞う塵埃が、各ポケットに収納した小物に付着すること、及び各ポケット内に入ることを抑制できる。
また、基礎シートの前面及び各ポケットは、ブラインドシートにて覆われるので、各ポケットに収納した小物は、ブラインドシートにて視認不能にできる。
請求項１では、ブラインドシートにおいて、軸部材側に位置する上端側は、軸心線周りに回転自在として軸部材に取付けられるので、ブラインドシートを基礎シートの前面から離間する方向に旋回（回転）することで、基礎シートの前面を開放できる。
これにより、各ポケットに小物を収納でき、又は各ポケットから小物を取出すことができる。
請求項１では、ブラインドシートは、基礎シートの前面に空間を隔てて配置されるので、各ポケットに収納した小物は、ブラインドシートに接触しない。
これにより、各ポケットに収納した小物がブラインドシートに接触して、ブラインドシートを凹凸変形することなく、ブラインドシートの見た目を美しく保つことができる。
【００１１】
本考案に係る請求項２では、請求項１の効果に加えて、各保持部材は、基礎シートの下端側に湾曲又は屈曲して突出し、基礎シートの前面及び軸部材間に配置されるので、ブラインドシートを軸部材まで巻取り、巻取ったブラインドシートを基礎シートの前面に向けて回転することで、収容空間に収容できる。そして、収容空間にて、巻取ったブラインドシートを各保持部材に載置することで、巻取ったブラインドシートを各保持部材で保持できる。
これにより、ウォールポケットの使用者は、ブラインドシートを把持することなく、小物を各ポケットに収納し、又は各ポケットから取出すことができる。
【００１２】
本考案に係る請求項３では、請求項１の効果に加えて、軸部材は、各保持部材を介在して、取付部材にて基礎シートに固定でき、更に各保持部材は取付部材にて基礎シートに固定できる。
請求項３では、各保持部材は、軸部材から基礎シートの下端側に湾曲又は屈曲して突出し、基礎シートの前面及び軸部材間に配置されるので、ブラインドシートを軸部材まで巻取り、巻取ったブラインドシートを基礎シートの前面に向けて回転することで、収容空間に収容できる。そして、収容空間にて、巻取ったブラインドシートを各保持部材に載置することで、巻取ったブラインドシートを各保持部材で保持できる。
これにより、ウォールポットの使用者は、ブラインドシートを把持することなく、小物を各ポケットに収納し、又は各ポケットから取出すことができる。
【００１３】
本考案に係る請求項４では、請求項２又は請求項３の効果に加えて、巻取軸部材を巻取中心として回転することで、ブラインドシートを巻取り、又は巻取軸部材を巻戻中心として回転することで、ブラインドシートを巻戻しできる。
【図面の簡単な説明】
【００１４】
【図１】ウォールポケットを示す斜視図である。
【図２】ウォールポケットを示す正面図である。
【図３】ウォールポケットを示す左側面図である。
【図４】ウォールポケットを示す右側面図である。
【図５】ウォールポケットを示す上面図である。
【図６】ウォールポケットを示す底面図である。
【図７】図２のＡ−Ａ断面図である。
【図８】ウォールポケットの基礎シートを示す正面図である。
【図９】図２のＢ−Ｂ部分拡大正面図である。
【図１０】図２のＣ−Ｃ部分拡大正面図である。
【図１１】（ａ）は、図３のＤ−Ｄ部分拡大左側面図、（ｂ）は、図４のＥ−Ｅ部分拡大右側面図である。
【図１２】図７のＦ−Ｆ部分拡大断面図である。
【図１３】図７のＧ−Ｇ部分拡大断面図である。
【図１４】ウォールポケットを室内等の壁に掛けた図であって、ブラインドシートを被覆位置にした斜視図である。
【図１５】ウォールポケットを室内等の壁に掛けた図であって、ブラインドシートを保持位置にした斜視図である。
【図１６】ウォールポケットを室内等の壁に掛けた図であって、ブラインドシートを保持位置にした正面図である。
【図１７】ウォールポケットを室内等の壁に掛けた図であって、ブラインドシートを保持位置にした右側面図である。
【図１８】図１７のＨ−Ｈ部分拡大正面図である。
【図１９】ウォールポケットを室内等の壁に掛けた図であって、ブラインドシートを保持位置にし、及び小物をポケットに収納した斜視図である。
【考案を実施するための形態】
【００１５】
本考案に係るウォールポケットについて、図１乃至図１９を参照して説明する。
【００１６】
図１４乃至図１９において、ウォールポケットＸは、室内Ｙ等の壁Ｙ１に掛けられ、小物Ｚを収納する「壁掛け小物入れ」である。
【００１７】
図１乃至図１３において、ウォールポケットＸは、基礎シート１、シート保持具２、複数のポケット３〜８、ブラインドシート１０、及び巻取軸部材１１を備える。
【００１８】
基礎シート１は、図１乃至図８に示すように、例えば、矩形（長方形）に形成され、一対の短辺１ａ，１ｂ及び一対の長辺１ｃ，１ｄを有する。
一対の短辺１ａ，１ｂは、基礎シート１の上端及び下端となる（以下、「上端１ａ」、「下端１ｂ」という）。
一対の長辺１ｃ，１ｄは、基礎シート１の左端及び右端となる（以下、「左端１ｃ」、「右端１ｄ」という）。
【００１９】
基礎シート１は、可撓性を有する素材で構成され、例えば、帆布でなる。
【００２０】
基礎シート１は、図１乃至図１２に示すように、シート筒状部１５を有する。シート筒状部１５は、基礎シート１の上端１ａ側に配置され、基礎シート１の上端１ａ（短辺）に平行する方向ＳＢ（以下、「短辺方向ＳＢ」という）に延在される。
シート筒状部１５は、短辺方向ＳＢにおいて、基礎シート１の左右端１ｃ，１ｄ間に渡って配置され、基礎シート１の左右端１ｃ，１ｄに開口する。
シート筒状部１５は、複数（一対）の開口穴１６，１７を有する。開口穴１６は、短辺方向ＳＢにおいて、基礎シート１の左端１ｃに間隔を隔てて、シート筒状部１５に形成される。開口穴１７は、短辺方向ＳＢにおいて、基礎シート１の右端１ｄに間隔を隔てて、シート筒状部１５に形成される。各開口穴１６，１７は、基礎シート１の上端１ａ側及びシート筒状部１５内に開口する。
シート筒状部１５は、図１、図２及び図１２に示すように、例えば、矩形の帆布等の布帛で構成され、帆布の各長辺を基礎シート１の上端１ａに並設し、各長辺側を基礎シート１に縫製して筒状に形成する。
【００２１】
シート保持具２は、図１乃至図６、及び図８乃至図１２に示すように、軸部材２１を有する。シート保持具２は、軸部材２１の軸心線２１ａを基礎シート１の前面１Ａに並設して、基礎シート１に軸部材２１を固定する。
【００２２】
軸部材２１は、前後方向ＦＲにおいて、基礎シート１の前面１Ａに収容空間ＫＰ（又は収容間隔ＫＰ）を隔てて、基礎シート１の上端１ａ側に配置される。なお、前後方向ＦＲは、基礎シート１の前面１Ａ及び軸部材２１の軸心線２１ａに直交する方向である。
軸部材２１は、基礎シート１の左右端１ｃ，１ｄ（各長辺）に平行する方向ＳＬ（以下、「長辺方向ＳＬ」という）において、基礎シート１の上端１ａに間隔ＴＬを隔てて、シート筒状部１５及び基礎シート１の下端１ｂ間に配置される。
軸部材２１は、短辺方向ＳＢにおいて、基礎シート１の上端１ａ（短辺）に並設して、基礎シート１の左右端１ｃ，１ｃ間に延在される。
これにより、軸部材２１は、基礎シート１の上端１ａ（短辺）に平行し、及び基礎シート１の左右端１ｃ，１ｄ（各長辺）に直交して配置される。
軸部材２１は、例えば、断面円形の金属線材で構成される。
【００２３】
複数のポケット３〜８は、図１、図３乃至図８に示すように、基礎シート１の前面１Ａに設けられ、小物を収納する袋状に形成される。各ポケット３〜９は、基礎シート１の下端１ｂ及び軸部材２１間に配置される。
各ポケット３〜８は、長辺方向ＳＬにおいて、複数列に渡って配置され、例えば、第１〜第３列に渡って配置される。
第１列の各ポケット３〜５は、軸部材２１側に位置し、短辺方向ＳＢにおいて、基礎シート１の左右端１ｃ，１ｄ間に並べて配置される。
第２列の各ポケット６，７は、長辺方向ＳＬにおいて、第１列ｒ１より基礎シート１の下端１ｂ側に位置し、短辺方向ＳＢにおいて、基礎シート１の左右端１ｃ，１ｄ間に並べて配置される。
第３列のポケット８は、長辺方向ＳＬにおいて、第２列の各ポケット６，７より基礎シート１の下端１ｂ側に位置し、短辺方向ＳＢにおいて、基礎シート１の左右端１ｃ，１ｄ間に配置される。
各ポケット３〜８は、例えば、伸縮性を有するメッシュ布地を基礎シート１の前面１Ａに縫製して袋状に形成され、軸部材２１側に開口部３Ａ〜８Ａを有する。
これにより、各ポケット３〜８において、開口部３Ａ〜８Ａから小物を収納し、又は小物を取出す。
【００２４】
ブラインドシート１０は、図１乃至図７に示すように、例えば、矩形（長方形）に形成され、一対の短辺１０ａ，１０ｂ及び一対の長辺１０ｃ，１０ｄを有する。
一対の短辺１０ａ，１０ｂは、ブラインドシート１０の上端及び下端となる（以下、「上端１０ａ」、「下端１０ｂ」という）。
一対の長辺１０ｃ，１０ｄは、ブラインドシート１０の左端及び右端となる（以下、「左端１０ｃ」、「右端１０ｄ」という）。
【００２５】
ブラインドシート１０は、基礎シート１の前面１Ａ及び各ポケット３〜８を覆って、基礎シート１の下端１ｂ及び軸部材２１間に渡って設けられる。
ブラインドシート１０は、前後方向ＦＲにおいて、基礎シート１の前面１Ａに収容空間ＳＢ（又は収容間隔ＳＢ）を隔てて配置される。
【００２６】
ブラインドシート１０の上端１０ａ（短辺）は、軸部材２１の軸心線２１ａ（基礎シート１の上端１ａ）に並設して、軸部材２１の両軸端２１Ａ，２１Ｂ間に渡って設けられる。
これにより、ブラインドシート１０は、基礎シート１の下端１ｂ及び軸部材２１間に渡って設けられ、更に軸部材２１の両軸端２１Ａ，２１Ｂ間に渡って設けられ、基礎シート１の前面１Ａ及び各ポケット３〜８を覆う。
また、ブラインドシート１０において、上端１０ａ（短辺）は、基礎シート１の上端１ａ（短辺）に平行して配置され、及び下端１０ｂ（短辺）は基礎シート１の下端１ｂ（短辺）に平行して配置される。ブラインドシート１０において、左端１０ｃ（長辺）は基礎シート１の左端１ｃ（長辺）に平行して配置され、及び右端１０ｄは基礎シート１の右端１ｄ（長辺）に平行して配置される。
【００２７】
ブラインドシート１０は、複数のシート筒状部３１，３２を有する。シート筒状部３１は、ブラインドシート１０の上端１ａ側に配置される。
シート筒状部３１は、ブラインドシート１０の上端１０ａ（短辺）に並設される。シート筒状部３１は、短辺方向ＳＢにおいて、ブラインドシート１０の左右端１０ｃ，１０ｄ間に渡って延在される。なお、短辺方向ＳＢは、ブラインドシート１０の上端１０ａ（短辺）に平行する方向である。
シート筒状部３１は、ブラインドシート１０の左右端１０ｃ，１０ｄに開口する。
【００２８】
シート筒状部３２は、ブラインドシート１０の下端１０ｂ側に配置される。シート筒状部３２は、軸部材２１の軸心線２１ａ（シート筒状部３１）に並設される。シート筒状部３２は、短辺方向ＳＢにおいて、ブラインドシート１０の左右端１０ｃ，１０ｄ間に渡って延在される。シート筒状部３２は、ブラインドシート１０の左右端１０ｃ，１０ｄにて閉塞される。
【００２９】
ブランドシート１０において、軸部材２１側に位置する上端１０ａ側は、軸心線２１ａ周りに回転自在として軸部材２１に取付けられる。
軸部材２１は、軸心線２１ａをブラインドシート１０の上端１０ａ（短辺）に並設され、シート筒状部１５内に挿入される。軸部材２１は、シート筒状部３１に隙間を有して挿入され、短辺方向ＳＢにおいて、シート筒状部３１を挿通する。
軸部材２１は、短辺方向ＳＢにおいて、各軸端２１Ａ，２１Ｂ側をブラインドシート１０の左右端１０ｃ，１０ｄから突出させる。
これにより、ブラインドシート１０は、軸部材２１をシート筒状部３１内に挿通させることで、軸部材２１の軸心線２１ａを中心に旋回自在（か回転自在）とされる。
【００３０】
ブラインドシート１０は、可撓性を有する素材で構成され、例えば、帆布でなる。
これにより、ブラインドシート１０は、下端１０ｂから軸部材２１に向けて巻取り又は巻戻し自在とされる。
ブラインドシート１０において、シート筒状部３１は、図１２に示すように、例えば、ブラインドシート１０の上端１０ａ側を前面１０Ａから裏面１０Ｂに折返して、裏面１０Ｂからブラインドシート１０に縫製して筒状に形成する。
また、シート筒状部３２は、図１３に示すように、例えば、ブラインドシート１０の下端１０ｂ側を前面１０Ａから裏面１０Ｂに折返して、裏面１０Ｂからブラインドシート１０に縫製して筒状に形成する。
【００３１】
シート保持具２は、図１乃至図７、及び図９乃至図１２に示すように、取付部材２２、及び複数の保持部材２３，２４を有する。シート保持具２は、基礎シート１に各保持部材２３，２４を固定する。
【００３２】
取付部材２２は、図１乃至図７、及び図９乃至図１２に示すように、例えば、取付軸部材として、基礎シート１に取付けられる（以下、「取付軸部材２２」という）。
取付軸部材２２は、複数（一対）の突起軸部３５，３６を有する。各突起軸部３５，３６は、取付軸部材２２の軸心線方向において、取付軸部材２２の各軸端２２Ａ，２２Ｂから間隔を隔てて配置される。
各突起軸部３５，３６は、取付軸部材２２の軸心線２２ａに直交する方向に湾曲して突出する。
【００３３】
取付軸部材２２は、軸心線２２ａを基礎シート１の上端１ａ（短辺）に並設して、シート筒状部１５に挿入される。
取付軸部材２２は、短辺方向ＳＢにおいて、シート筒状部１５を挿通し、シート筒状部１５の両端から突出される。
取付軸部材２２において、各突起軸部３５，３６は、シート筒状部１５の各開口穴１６，１７に挿入され、シート筒状部１５内から突出される。各突起軸部３５，３６は、長辺方向ＳＬにおいて、基礎シート１の上端１ａから突出する。
これにより、各突起軸部３５，３６は、基礎シート１の上端１ａ間に壁掛用穴３５Ａ，３６Ａを形成する。
【００３４】
各保持部材２３，２４は、図1乃至図７、及び図９乃至図１２に示すように、軸部材２１の軸心線方向ＳＨ（短辺方向ＳＢ）に間隔を隔てて配置され、巻取ったブラインドシート１０を保持する（図１５乃至図１９参照）。
各保持部材２３，２４は、軸部材２１の各軸端２１Ａ，２１Ｂ側に位置し、軸部材２１の軸心線２１ａに直交して配置される。
各保持部材２３，２４は、収容空間ＫＰにて、前記基礎シート１の前面１Ａ及び軸部材２１間に渡って配置される。各保持部材２３，２４は、軸部材２１の軸心線２１ａに直交する前後方向ＦＲにおいて、基礎シート１の前面１Ａ及び軸部材２１間に渡って延在される。
なお、収容空間ＫＰ（又は収容間隔ＫＰ）は、隙間無く巻取ったブラインドシート１０の巻取径と同等又は広い空間（又は間隔）である。
【００３５】
各保持部材２３，２４は、図９乃至図１２に示すように、長辺方向ＳＬにおいて、軸部材２１から基礎シート１の下端１ｂ側に湾曲して突出する。
各保持部材２３，２４において、湾曲して突出する一端２３ａ，２４ａは、図９及び図１１（ａ）に示すように、軸部材２１の各軸端２１Ａ，２１Ｂ側に連結される。
各保持部材２３，２４において、湾曲して突出する一端２３ａ，２４ａは、前後方向ＦＲにおいて、軸部材２１側に位置する一端である。
各保持部材２３，２４において、湾曲して突出する他端２３ｂ，２４ｂは、図１０、図１１（ｂ）及び図１２に示すように、取付軸部材２２の各軸端２２Ａ，２２Ｂ側に連結される。
各保持部材２３，２４において、湾曲して突出する他端２３ｂ，２４ｂは、前後方向ＦＲにおいて、取付軸部材２２側に位置する他端である。
これにより、シート保持具２は、軸部材２１を各保持部材２３，２４を介在して、取付軸部材２２にて基礎シート１に固定する。
シート保持具２は、各保持部材２３，２４を取付軸部材２２にて基礎シート１に固定する。
取付軸部材２２、及び各保持部材２３，２４は、例えば、断面円形の金属線材で構成され、シート保持具２は、軸部材２１、取付軸部材２２及び各保持部材２３，２４を連結して一体形成される。
【００３６】
巻取軸部材１１は、ブラインドシート１０を巻取る（図１５乃至図２０参照）。
巻取軸部材１１は、図１乃至図７、及び図１３に示すように、軸心線１１ａを軸部材２１の軸心線２１ａに並設して、ブラインドシート１０の下端１０ｂ側に取付けられる。
巻取軸部材１１は、シート筒状部３２内に収納され、ブラインドシート１０の下端１０ｂ側に配置される。巻取軸部材１１は、短辺方向ＳＢにおいて、ブラインドシート１０の左右端１０ｃ，１０ｄ間に延在される。
これにより、ブラインドシート１０は、巻取軸部材１１を巻取中心として、下端１０ｂから軸部材２１に向けて巻取り自在、又は巻取軸部材１１を巻戻中心として巻戻し自在となる。
【００３７】
次に、ウォールポケットＸに小物Ｚを収納等する手順について、図１４乃至図１９を参照して説明する。
【００３８】
図１４乃至図１９において、ウォールポケットＸは、室内Ｙ等の壁Ｙ１に掛けられる。
【００３９】
ウォールポケットＸの使用者は、複数の壁掛用フック５１，５２を用意し、各壁掛用フック５１，５２を各壁掛用穴３５Ａ，３５Ｂ内に挿入する。
これにより、ウォールポケットＸは、各突起軸部３５，３６にて各壁掛用フック５１，５２に引掛けられる。
なお、ウォールポケットＸにおいて、ブラインドシート１０は、基礎シート１の前面１Ａ及び各ポケット３〜８を覆う位置Ｐ１（以下、「被覆位置Ｐ１」という）に配置される（図１乃至図７、図１４参照）。
【００４０】
続いて、使用者は、ウォールポケットＸを壁Ｙに位置決めし、各壁掛用フック５１，５２を壁Ｙ１に固定する。
これにより、ウォールポケットＸは、壁Ｙ１に掛けられる。
このとき、基礎シート１は、裏面１Ｂを壁Ｙに沿って配置し、取付軸部材２２に吊設される。
ブラインドシート１０は、被覆位置Ｐ１において、軸部材２１に吊設される。
また、ブランドシート１０は、基礎シート１の前面１Ａに収容空間ＳＢを隔てて配置され、基礎シート１の前面１Ａ及び各ポケット３〜８を覆っている（図１４参照）。
【００４１】
使用者は、図１５乃至図１８に示すように、小物Ｚを収納するため、巻取軸部材１１を把持し、巻取軸部材１１を巻取中心として回転することで、ブラインドシート１０を巻取る。
このとき、ブラインドシート１０は、長辺方向ＳＬにおいて、下端１０ｂから軸部材２１に向けて巻取られる。
【００４２】
使用者は、図１５乃至図１８に示すように、ブラインドシート１０を軸部材２１まで巻取ると、巻取ったブラインドシート１０を軸部材２１の軸心線２１ａ周りに回転（旋回）する。
このとき、巻取ったブラインドシート１０は、シート筒状部３１を軸部材２１周りに回転することで、基礎シート１の上端１ａ側から前面１Ａに向けて旋回される。
【００４３】
続いて、使用者は、図１５乃至図１８に示すように、巻取ったブラインシート１０を収容空間ＳＢ内に収容（挿入）し、更に各保持部材２３，２４上に載置する。
これにより、シール保持具２において、各保持部材２３，２４は、巻取ったブラインドシート１０の左右端１０ｃ，１０ｄ側を保持する。巻取ったブラインドシート１０は、収容空間ＫＰに収容されて、各保持部材２３，２４で保持される位置（以下、「保持位置Ｐ２」）に配置される。
ブラインドシート１０を保持位置Ｐ２にすると、基礎シート１の前面１Ａは、開放され、各ポケット３〜８に小物Ｚを収納自在とする。
小物Ｚは、例えば、鋏Ｚ１、領収書Ｚ２、及び新聞紙Ｚ３等である。
【００４４】
使用者は、図１９に示すように、例えば、鋏Ｚ１を開口部６Ａからポケット６に収納し、領収書Ｚ２を開口部７Ａからポケット７に収納し、及び新聞紙Ｚ３を開口部８Ａからポケット８に収納する。
【００４５】
使用者は、図１９に示すように、小物Ｚ（鋏Ｚ１、領収書Ｚ２及び新聞紙Ｚ３）を各ポケット３〜８に収納すると、巻取ったブラインドシート１０を把持する。
続いて、使用者は、巻取ったブラインドシート１０を軸部材２１の軸心線２１ａ周りに回転（旋回）する。
このとき、巻取ったブラインドシート１０は、シート筒状部３１を軸部材２１周りに回転することで、基礎シート１の前面１Ａから離間する方向に旋回され、保持位置Ｐ２から取出され、軸部材２１から基礎シート１の下端１ｂ側に配置される。
【００４６】
続いて、使用者は、巻取ったブラインドシート１０を巻戻す。
このとき、巻取ったブラインドシート１０は、巻取軸部材１１を巻戻中心として回転することで、軸部材２１から基礎シート１の下端１ｂに向けて巻戻され、基礎シート１の前面１Ａ及び各ポケット３〜８を覆う（図１４参照）。
【００４７】
このように、使用者は、ブラインドシート１０を被覆位置Ｐ１にすることで、基礎シート１の前面１Ａ及び各ポケット３〜８をブラインドシート１０にて覆うことができる。
一方、使用者は、ブラインドシート１０を保持位置Ｐ２にすることで、基礎シート１の前面１Ａを開放して、各ポケット３〜８に小物Ｚ（鋏Ｚ１，領収書Ｚ２，新聞紙Ｚ３）を収納し、又は各ポケット３〜８から小物Ｚを取出すことができる。
このとき、巻取ったブラインドシート１０は、各保持部材２３，２４にて保持されることから、使用者は、ブラインドシート１０を把持することなく、小物Ｚを各ポケット３〜８に収納し、又は各ポケット３〜８から小物Ｚを取出すことができる。
【００４８】
また、ブラインドシート１０を保持位置Ｐ２にして、小物Ｚを収納等する他に、使用者は、図１４において、ブラインドシート１０の下端１０ｂを把持し、ブラインドシート１を軸部材２１の軸心線２１ａ周りに回転（旋回）することで、基礎シート１の前面１Ａから離間する。
これにより、基礎シート１の前面１Ａは、開放され、各ポケット３〜８に小物Ｚ（鋏Ｚ１，領収書Ｚ２，新聞紙Ｚ３）を収納自在、又は各ポケット３〜８から小物Ｚを取出し自在となる。
使用者は、ブラインドシート１０を基礎シート１の前面１Ａに向けて回転（旋回）することで、ブラインドシート１０を被覆位置Ｐ１にする。
このように、使用者は、ブラインドシート１０を軸部材２１の軸心線２１ａ周りに回転（旋回）することで、各ポケット３〜８に小物Ｚを収納し、各ポケット３〜８から小物Ｚを取出すことができ、更にブラインドシート１０にて基礎シート１の前面１Ａ及び各ポケット３〜８を覆うことができる。
【００４９】
ウォールポケットＸでは、軸部材２１、取付軸部材２２及び各保持部材２３，２４を連結して一体にすることで、シート保持具２を構成することについて説明したが、これに限定されない。
軸部材２１、及び各保持部材２３，２４を、別々に、基礎シート１に直接、取付けて固定しても良い。
【００５０】
ウォールポケットＸでは、各保持部材２３，２４は、軸部材２１から基礎シート１の下端１ｂ側に湾曲して突出する構成について説明したが、これに限定されない。
各保持部材２３，２４は、長辺方向ＳＬにおいて、基礎シート１の上端１ａ及び軸部材２１間に配置し、基礎シート１に取付けて固定しても良い。各保持部材２３，２４は、基礎シート１の下端１ｂ側に湾曲して突出する。
【００５１】
ウォールポケットＸでは、基礎シート１及びブラインドシート１０は、矩形（長方形）に形成することについて説明したが、これに限定されない。
基礎シート１及びブラインドシート１０は、矩形を除く多角形、円形及び楕円形等の各種形状に形成しても良い。
【００５２】
ウォールポケットＸでは、基礎シート１及びブラインドシート１０は、帆布で構成するものに限定されない。
基礎シート１及びブラインドシート１０は、可撓性を有する素材であって、布帛、不織布、ビニール（合成樹脂）等で構成しても良い。
基礎シート１は、例えば、帆布及びメッシュ状の不織布を重ねて縫製することで構成しても良い。このとき、帆布は、基礎シート１の前面１Ａとして各ポケット３〜８を設け、メッシュ状の不織布は基礎シート１の裏面１Ｂとする。
【００５３】
ウォールポケットＸでは、各保持部材２３，２４は、軸部材２１から基礎シート１の下端１ｂ側に屈曲して突出させても良い。
【００５４】
ウォールポケットＸでは、ブラインドシート１０の前面１０Ａに、デザイン性を有する図柄、模様等を描いても良い。
【産業上の利用可能性】
【００５５】
本考案は、小物を収納するのに最適である。
【符号の説明】
【００５６】
Ｘ  ウォールポケット（壁掛け小物入れ）
１  基礎シート
１Ａ  基礎シートの前面
１ａ  基礎シートの上端
１ｂ  基礎シートの下端
２  シート保持具
３〜８  ポケット
１０  ブラインドシート
２２  軸部材
２２ａ  軸心線
ＫＰ  収容空間（空間）
【図１】
0003200759.tif 000003
【図２】
0003200759.tif 000004
【図３】
0003200759.tif 000005
【図４】
0003200759.tif 000006
【図５】
0003200759.tif 000007
【図６】
0003200759.tif 000008
【図７】
0003200759.tif 000009
【図８】
0003200759.tif 000010
【図９】
0003200759.tif 000011
【図１０】
0003200759.tif 000012
【図１１】
0003200759.tif 000013
【図１２】
0003200759.tif 000014
【図１３】
0003200759.tif 000015
【図１４】
0003200759.tif 000016
【図１５】
0003200759.tif 000017
【図１６】
0003200759.tif 000018
【図１７】
0003200759.tif 000019
【図１８】
0003200759.tif 000020
【図１９】
0003200759.tif 000021